(57)【要約】      （修正有）【課題】安価に形成できると共に、連結作業性が良好であり、しかも積み重ね状態の安定性の高い物品収納ケースを提供すること。【解決手段】上方に開口２を有する略立方体形状或いは略直方体形状の物品収納ケース１において、底壁下面に脚部を兼ねた凸部３を形成し、該凸部を積み重ねた際の下方ケースの上記上方開口に嵌入させる構成とすると共に、対向する側壁４，４の上端中央付近にそれぞれ内方或いは外方に向けて突出する上方舌片５，５を形成し、該上方舌片と積み重ねた際に係合してケース同士を連結する上記上方舌片とは逆方向に向けて突出する下方舌片７，７を底壁下面に形成した物品収納ケースとした。【選択図】図１
2017218191.tif 000002
【特許請求の範囲】
【請求項１】
上方に開口を有する略立方体形状或いは略直方体形状の物品収納ケースにおいて、底壁下面に脚部を兼ねた凸部を形成し、該凸部を積み重ねた際の下方ケースの上記上方開口に嵌入させる構成とすると共に、対向する側壁の上端中央付近にそれぞれ内方或いは外方に向けて突出する上方舌片を形成し、該上方舌片と積み重ねた際に係合してケース同士を連結する上記上方舌片とは逆方向に向けて突出する下方舌片を底壁下面に形成したことを特徴とする、物品収納ケース。
【請求項２】
上記上方舌片の周辺に凹部が形成されていることを特徴とする、請求項１に記載の物品収納ケース。
【請求項３】
上記上方舌片が側壁上端面より突出して形成されていることを特徴とする、請求項１又は２に記載の物品収納ケース。
【請求項４】
上記上方舌片の下面に係合凹部が形成され、上記下方舌片の上面に前記上方舌片の係合凹部に嵌入する係合凸部が形成されていることを特徴とする、請求項１〜３のいずれかに記載の物品収納ケース。
【請求項５】
上記上方舌片が長辺側の対向する側壁に形成され、上記下方舌片が底壁下面の上記脚部を兼ねた凸部に形成されていることを特徴とする、請求項１〜４のいずれかに記載の物品収納ケース。
【請求項６】
上記ケースの上記上方開口を閉塞する矩形の蓋体であり、該蓋体の下面に凸部を形成し、該凸部を上記ケースの上記上方開口に嵌入させる構成とすると共に、該凸部に上記ケースに形成された上方舌片と係合する舌片を形成したことを特徴とする、請求項１〜５のいずれかに記載の物品収納ケース。
【発明の詳細な説明】
【技術分野】
【０００１】
本発明は、物品収納ケースに関し、詳しくは、積み重ねたケース同士を容易に連結することができる、物品収納ケースに関するものである。
【背景技術】
【０００２】
工場等において、部品を収納して保管・運搬するために、プラスチック等によって型成形された、上方に開口を有する略立方体形状或いは略直方体形状の物品収納ケースが多用されている。
そして、このような物品収納ケースは、積み重ねた際にズレを防止し、積み重ね状態の安定性を高めるために、底壁下面に脚部を兼ねた凸部を形成し、該凸部を積み重ねた際の下方ケースの上方開口に嵌入させるように構成されている（例えば、特許文献１，２）。
また、積み重ね状態の更なる安定性を図るために、積み重ねたケース同士を連結する構成を有する物品収納ケースも開発されている（例えば、特許文献３）。
【先行技術文献】
【特許文献】
【０００３】
【特許文献１】特開２００４−１２３２２１号公報
【特許文献１】特開２００４−３２９０３５号公報
【特許文献３】特開平９−１６９３３９号公報
【発明の概要】
【発明が解決しようとする課題】
【０００４】
しかしながら、上記した特許文献１，２に開示されたような、単なる凸部の開口への嵌入のみでは、トラックによる輸送時等に受ける、下から突き上げるような衝撃が加わった場合には、容易に嵌入が外れてしまい、積み重ねがズレることから荷崩れが生じ易いものであった。また、積み重ねたケースを持ち上げる際には、例え空の状態のケースであっても、最下段のケースを持って持ち上げなければならず、腰をかがめる作業が必要となるなど、作業者に負担を強いるものであった。
一方、特許文献３に開示されたような、積み重ねたケース同士を連結する構成を有するものにあっては、上記した問題は生じないものの、該特許文献３に開示された連結構造は、ケースの上部開口縁部に鋼製の連結具を回動自在に取り付け、該連結具を回動させて相手方ケースの上縁及び／又は連結具に係合させるものであるため、連結具による結合動作が必須となり、その作業が煩わしいものであったと共に、連結手段が大掛かりなものであり、構造も複雑になってコスト高となっていた。
【０００５】
本発明は、上述した背景技術が有する課題に鑑みなされたものであって、その目的は、安価に形成できると共に、連結作業性が良好であり、しかも積み重ね状態の安定性の高い物品収納ケースを提供することにある。
【課題を解決するための手段】
【０００６】
上記した目的を達成するため、本発明は、次の〔１〕〜〔６〕に記載した物品収納ケースとした。
〔１〕上方に開口を有する略立方体形状或いは略直方体形状の物品収納ケースにおいて、底壁下面に脚部を兼ねた凸部を形成し、該凸部を積み重ねた際の下方ケースの上記上方開口に嵌入させる構成とすると共に、対向する側壁の上端中央付近にそれぞれ内方或いは外方に向けて突出する上方舌片を形成し、該上方舌片と積み重ねた際に係合してケース同士を連結する上記上方舌片とは逆方向に向けて突出する下方舌片を底壁下面に形成したことを特徴とする、物品収納ケース。
〔２〕上記上方舌片の周辺に凹部が形成されていることを特徴とする、上記〔１〕に記載の物品収納ケース。
〔３〕上記上方舌片が側壁上端面より突出して形成されていることを特徴とする、上記〔１〕又は〔２〕に記載の物品収納ケース。
〔４〕上記上方舌片の下面に係合凹部が形成され、上記下方舌片の上面に前記上方舌片の係合凹部に嵌入する係合凸部が形成されていることを特徴とする、上記〔１〕〜〔３〕のいずれかに記載の物品収納ケース。
〔５〕上記上方舌片が長辺側の対向する側壁に形成され、上記下方舌片が底壁下面の上記脚部を兼ねた凸部に形成されていることを特徴とする、上記〔１〕〜〔４〕のいずれかに記載の物品収納ケース。
〔６〕上記ケースの上記上方開口を閉塞する矩形の蓋体であり、該蓋体の下面に凸部を形成し、該凸部を上記ケースの上記上方開口に嵌入させる構成とすると共に、該凸部に上記ケースに形成された上方舌片と係合する舌片を形成したことを特徴とする、上記〔１〕〜〔５〕のいずれかに記載の物品収納ケース。
【発明の効果】
【０００７】
上記した本発明に係る物品収納ケースによれば、ケースを互いに連結するための特別な別部品を付加する必要がなく、上方舌片と下方舌片とをケースに型成形等により一体的に形成すればよいので、製造コストの低減が図れると共に、リサイクルが容易な物品収納ケースを提供することができる。
また、上記した本発明に係る物品収納ケースによれば、上方舌片と下方舌片との係合によって積み重ねたケース同士を連結するものであるため、その連結作業性は良好であり、また信頼性の高い連結が可能なものとなる。
【図面の簡単な説明】
【０００８】
【図１】本発明に係る物品収納ケースの一実施形態を示した斜視図である。
【図２】図１に示した物品収納ケースを積み重ねる途中の状態を示した一部切り欠き側面図である。
【図３】図１に示した物品収納ケースを２段積み重ねた状態を示した一部切り欠き側面図である。
【図４】図１に示した物品収納ケースを３段積み重ね、最上段の物品収納ケースを持って垂直方向に持ち上げた状態を示した一部切り欠き側面図、および要部を拡大して示した断面図である。
【図５】図１に示した物品収納ケースを３段積み重ね、最下段の物品収納ケースを持って横方向に倒した状態を示した一部切り欠き側面図、および要部を拡大して示した断面図である。
【図６】本発明に係る物品収納ケースの蓋体を下方から観た斜視図である。
【図７】図１に示した物品収納ケースを５段積み重ね、最上段の物品収納ケースに蓋体を装着した状態を示した一部切り欠き側面図、および要部を拡大して示した断面図である。
【図８】本発明に係る物品収納ケースの他の実施形態を示した斜視図である。
【図９】図８に示した物品収納ケースの平面図である。
【図１０】図８に示した物品収納ケースの底面図である。
【図１１】上方舌片及び下方舌片の変形例を示した要部斜視図である。
【図１２】上方舌片及び下方舌片の他の変形例を示した要部斜視図である。
【発明を実施するための形態】
【０００９】
以下、上記した本発明に係る物品収納ケースの実施形態を、図面を参照しながら詳細に説明する。
【００１０】
本発明に係る物品収納ケース１は、例えばプラスチックによってその全体が一体成形されたもので、図１に示すように、略直方体形状で、上方に開口２を有している。また、底壁下面に脚部を兼ねた凸部３が形成され、該凸部３が積み重ねた際の下方ケースの上記上方開口２に嵌入し、積み重ね状態の安定性が図られている。
【００１１】
物品収納ケース１の長辺側の対向する側壁４，４の上端中央付近には、それぞれ内方に向けて突出する上方舌片５，５が形成され、該上方舌片５の周辺に凹部６がそれぞれ形成されている。また、底壁下面に形成された上記脚部を兼ねた凸部３には、前記上方舌片５，５と積み重ねた際に係合してケース同士を連結する外方に向けて突出する下方舌片７，７が形成されている。また、短辺側の対向する側壁８，８の外面側の上方中央付近には、取っ手９，９が形成されている。
【００１２】
上記のように構成された本発明に係る物品収納ケース１は、積み重ねる際に、図２に示したように、下方のケース１Ａの上方舌片５，５の下方に、上方のケース１Ｂの下方舌片７，７がそれぞれ入り込むように上方舌片５の周辺に形成された上記凹部６を利用して挿入することにより、図３に示したように、下方のケース１Ａの上方舌片５の下方に上方のケース１Ｂの下方舌片７が位置するように積み重ねられ、容易に積み重ねたケース１Ａ，１Ｂ同士を縦方向に抜けないように連結することができる。
【００１３】
上記のようにして積み重ねられた物品収納ケース１Ａ，１Ｂ，１Ｃは、例えば持ち上げる際においては、図４に示したように、最上段の物品収納ケース１Ｃを持って持ち上げることにより、その積み重ねられた全ての物品収納ケース１Ａ，１Ｂ，１Ｃを持ち上げることができるものとなる。また、図５に示したように、積み重ねられた物品収納ケース１Ａ，１Ｂ，１Ｃの最下段のケース１Ａを持って横方向に倒した場合においても、下端を支点として上方舌片５と下方舌片７とが当接して抜けが防止されるため、横方向に倒した状態でも積み重ねがバラけず、搬送が可能なものとなる。
上記した作用は、特に空の状態の物品収納ケース１の搬送作業の際に効果的に現れ、作業者の負担を大きく軽減することができるものとなる。
【００１４】
また、上記のようにして積み重ねられた物品収納ケース１Ａ，１Ｂ、１Ｃ・・は、トラックによる輸送時等において、下から突き上げるような衝撃が加わった場合にも、上方舌片５と下方舌片７とが当接して抜けが防止されるため、物品収納ケースがズレ難いものとなる。
上記した作用は、積み重ねられた物品収納ケース１Ａ，１Ｂ，１Ｃ・・の輸送時において、その荷崩れを効果的に防止することができるものとなる。
【００１５】
図６は、本発明に係る物品収納ケースに用いる蓋体を下方から観た斜視図である。この蓋体５０は、例えばプラスチックによってその全体が一体成形された矩形形状のもので、下面に凸部５１を有し、該凸部５１を上記ケース１の上記上方開口２に嵌入させる構成となっている。また、凸部５１には、上記ケース１の側壁上端に設けた上方舌片５，５と係合する外方に向けて突出する舌片５２，５２が形成されている。
【００１６】
上記した蓋体５０は、例えば図７に示したように、５段に積み重ねた本発明に係る物品収納ケース１Ａ，１Ｂ，１Ｃ，１Ｄ，１Ｅの最上段のケース１Ｅの開口２を閉塞するのに用いられる。蓋体５０の装着に際しては、上記したケース同士の連結と同様に、ケース１Ｅの上方舌片５，５の下方に、蓋体５０の舌片５２，５２がそれぞれ入り込むように上方舌片５の周辺に形成された上記凹部６を利用して挿入することにより、図７に示したように、ケース１Ｅの上方舌片５の下方に蓋体５０の舌片５２が位置するように装着され、容易にケース１Ｅから蓋体５０が外れないように装着することができる。
【００１７】
上記のようにして最上段のケース１Ｅの開口２が蓋体５０によって閉塞された積み重ねられた物品収納ケース１Ａ，１Ｂ，１Ｃ，１Ｄ，１Ｅは、トラックによる輸送時等において、下から突き上げるような衝撃が加わった場合にも、上記したようにケース同士の連結により荷崩れが生じないと共に、蓋体５０はケース１から外れないため、収納した物品が跳ね上げられて散乱することもない。
【００１８】
図８は、本発明に係る物品収納ケースの他の実施形態を示した斜視図である。
このケース１０は、薄肉のプラスチックによりその全体が形成され、フランジ１１、リブ１２を適所に配することにより、その剛性が図られている。長辺側の対向する側壁１３，１３の上端中央付に形成された上方舌片１４，１４は、側壁上端面より突出して形成され、その周辺には凹部１５がそれぞれ形成されている。これにより、上方舌片１４の肉厚が確保されていると共に、後記する下方舌片１６の挿入を容易なものとしている。
【００１９】
また、図１０に示したように、底壁下面には脚部を兼ねた凸部１７が形成されている。この凸部１７は、線状に形成されており、コーナー部に形成されたＬ字状凸部１７ａと、長辺側の中央付近に形成されたＩ字状凸部１７ｂとからなる。これらの凸部１７ａ，１７ｂは、積み重ねた際の下方ケースの上方開口１８に内嵌し、積み重ね状態の安定性が図られている。
Ｉ字状凸部１７ｂ，１７ｂには、上記上方舌片１４，１４と積み重ねた際に係合してケース同士を連結する外方に向けて突出する下方舌片１６，１６が設けられている。また、下方のフランジ１１には、図８に示したように、上記した側壁上端面より突出して形成され上方舌片１４，１４を避ける凹み１９，１９が設けられている。
この実施形態に係る物品収納ケース１０においても、上記したケース１と同様の作用、効果が得られる。
【００２０】
以上、本発明に係る物品収納ケースの実施形態を説明したが、本発明は、何ら既述の実施形態に限定されるものではなく、特許請求の範囲に記載した本発明の技術的思想の範囲内において、さらに種々の変形及び変更が可能であることは当然である。
例えば、上記実施形態においては、略直方体形状の物品収納ケース１，１０につき説明したが、略立方体形状の物品収納ケースとしてもよい。また、ケースに形成する上方舌片５或いは１４及び下方舌片７或いは１６は、内方或いは外方に向けて突出する単なる板状のものであってもよいが、図１１、図１２に示したように、上方舌片２０の下面に係合凹部２１が形成され、下方舌片２２の上面に前記上方舌片の係合凹部に嵌入する係合凸部２３が形成されているものとしてもよい。このような係合部２１，２３を形成した舌片２０，２２とした場合には、当接する際にセンタリングが図れ、より積み重ねたケース同士のズレが防止できるものとなる。
【００２１】
また、上記実施形態においては、上方舌片５或いは１４は、内方に向けて突出するように形成され、下方舌片７或いは１６は、外方に向けて突出するように形成されたものにつき説明したが、両者がそれぞれ逆方向、すなわち上方舌片は外方、下方舌片は内方に向けて、それぞれ突出するように形成してもよい。
なお、上記した下方舌片についての変形は、蓋体５０に形成する舌片５２についても、同様に実施することができる。また、蓋体５０に形成する凸部５１についても、図１０に示した線状の凸部としてもよく、また場合によっては点状に存在する凸部としてもよい。
【００２２】
更に、本発明に係る物品収納ケースは、工場等における部品を収納するケースばかりでなく、ビール瓶を収納するケース、更には野菜を収納するケース等、収容する物品の種類は何ら問わない。また、材質も何ら限定されず、プラスチック製、木製、金属製等の種々の材料を利用して本発明に係る物品収納ケースを製造することができる。更に言えば、本発明に係る物品収納ケースは、全体が一体的に形成されている必要はなく、多部品を組み合わせて構成されていてもよく、また組み立て式の物品収納ケースであってもよい。
【産業上の利用可能性】
【００２３】
以上、説明した本発明に係る物品収納ケースは、安価に形成できると共に、連結作業性が良好であり、しかも段積み状態の安定性の高い物品収納ケースとなるため、工場等における部品を収納するケース、ビール瓶を収納するケース、更には野菜を収納するケース等に、幅広く利用できるケースとなる。
【符号の説明】
【００２４】
１，１Ａ，１Ｂ，１Ｃ，１０    物品収納ケース
２，１８    開口
３，１７    脚部を兼ねた凸部
４，１３    長辺側の側壁
５，１４，２０    上方舌片
６，１５    凹部
７，１６，２２    下方舌片
８      短辺側の側壁
９      取っ手
１１    フランジ
１２    リブ
１７ａ    Ｌ字状凸部
１７ｂ    Ｉ字状凸部
１９    凹み
２１    係合凹部
２３    係合凸部
５０    蓋体
５１    凸部
５２    舌片
【図１】
2017218191.tif 000003
【図２】
2017218191.tif 000004
【図３】
2017218191.tif 000005
【図４】
2017218191.tif 000006
【図５】
2017218191.tif 000007
【図６】
2017218191.tif 000008
【図７】
2017218191.tif 000009
【図８】
2017218191.tif 000010
【図９】
2017218191.tif 000011
【図１０】
2017218191.tif 000012
【図１１】
2017218191.tif 000013
【図１２】
2017218191.tif 000014